(57)【要約】【課題】両開きのカーテンの取付、操作、調整が容易であり、また、既存のカーテンレールに対して取付が可能であり、それが容易であり、さらに開閉操作を容易に行えるようにすることができる両開きカーテン用補助具を提供することである。【解決手段】カーテンレール２０の両端に取り付ける２つの終端部材１０ａ、１０ｂと、輪にして２つの終端部材１０ａ、１０ｂに掛けるワイヤー１と、ワイヤー１の輪の上方部分と中央ランナー１９ａとを固定するワイヤー固定部材１５ａと、ワイヤー１の輪の下方部分と中央ランナー１９ｂとを固定するワイヤー固定部材１５ｂとを備えたことを特徴とする。【選択図】  図５
2004337208.tif 000002
【特許請求の範囲】
【請求項１】
カーテンレールの両端に取り付ける２つの終端部材と、輪にして前記２つの終端部材に掛けるワイヤー部材と、前記２つの終端部材に掛けたワイヤー部材の輪の上方部分と前記カーテンレールの２つの中央ランナーのうちの一方とを固定する第１のワイヤー固定部材と、前記２つの終端部材に掛けたワイヤー部材の輪の下方部分と前記カーテンレールの２つの中央ランナーのうちの他方とを固定する第２のワイヤー固定部材とを備えたことを特徴とする両開きカーテン用補助具。
【請求項２】
前記終端部材がレール固定ネジによって前記カーテンレールに取り付けられることを特徴とする請求項１に記載の両開きカーテン用補助具。
【請求項３】
前記ワイヤー部材が予め輪に形成されていることを特徴とする請求項１に記載の両開きカーテン用補助具。
【請求項４】
前記ワイヤー部材の輪の大きさが調節可能であることを特徴とする請求項３に記載の両開きカーテン用補助具。
【請求項５】
カーテンを取り付けるための複数のランナーと、カーテンの開閉のため前記ランナーが移動するレール本体と、前記レール本体の両端に取り付けられた２つの終端部材と、輪にして前記２つの終端部材に掛けられたワイヤー部材と、前記２つの終端部材に掛けられた前記ワイヤー部材の輪の上方部分と前記ランナーのうちの２つの中央のものの一方とを固定する第１のワイヤー固定部材と、前記２つの終端部材に掛けたワイヤー部材の輪の下方部分と前記ランナーのうちの２つの中央のものの他方とを固定する第２のワイヤー固定部材とを備えたことを特徴とするカーテンレール。
【発明の詳細な説明】
【０００１】
【発明の属する技術分野】
本発明は両開きカーテン用補助具に関する。
【０００２】
【従来の技術】
窓などにカーテンを取り付けるのには従来からカーテンレールが用いられる。このカーテンレールはたとえば窓などの上部に予め取り付けられており、レール上を移動可能なように設けられたランナーと呼ばれる部品を複数備え、この複数のランナーのそれぞれに対してフック等によってカーテンの幅方向の各位置を取り付け、レール上をランナーが移動することによってカーテンの開閉ができるようにしている。
【０００３】
また、カーテンレールに対してカーテンを取り付ける際には、カーテンレールに１枚のカーテンだけを取り付けて「片開き」にする場合や、カーテンレールの中央から左側と右側とで別々のカーテンを取り付けて中央から左右に対してカーテンを開けることができるようにして「両開き」にする場合などがある。
【０００４】
ところで、カーテンの開閉の操作は煩わしいものであるため、その解消のため従来から様々な構造の工夫がなされている。
【０００５】
たとえば特許文献１に記載の発明では、カーテンレールの一端に垂れ下がるように設けた２本の紐のいずれかを引き下げることによってカーテンの開閉を行うことができるようにして、カーテンの開閉の煩わしさを解消しようとしている。
【０００６】
また、特許文献２に記載の発明では、ランナーを電動にて動かすことができるようにすることによって、カーテンを持って手操作せずともカーテンの開閉を行うことができるようにして、カーテンの開閉の煩わしさを解消しようとしている。
【０００７】
【特許文献１】
特開平１１−４７５１号公報
【特許文献２】
特開２０００−１３９６８４号公報
【発明が解決しようとする課題】
しかしながら、上述の従来技術には以下のような問題があった。
【０００８】
まず、特許文献１に記載の発明は、１枚のカーテンを用いる「片開き」の場合を対象としており、「両開き」の場合には、特許文献１に記載の発明の構造を２つ設け、レールの中央から右側のカーテンおよび左側のカーテンのそれぞれにこの構造を適用することが記載されている。
【０００９】
こうなると、「両開き」の場合、レールの中央から右側のカーテンを開閉するための紐がカーテンレールの右端に垂れ下がり、レールの中央から左側のカーテンを開閉するための紐がカーテンレールの左端に垂れ下がることになり、右側と左側とで別々に操作することが必要となってしまい、たとえばカーテンレールの片方の端が狭い場所にあって操作しずらい場合など、カーテンを全開または全閉することが困難であるという問題があった。
【００１０】
また、特許文献２に記載の発明は、電動のための構造にコストがかかってしまい、高価なものとなってしまうという問題があった。また、電動の構造が複雑であるため、故障のおそれもあり、メンテナンスが必要で手間がかかるという問題もあった。さらに、取り付け工事に電源工事も必要とし、専門家によらないと取り付けおよび駆動調整も困難であるという問題もあった。
【００１１】
本発明は上記の点にかんがみてなされたもので、両開きのカーテンの取付、操作、調整が容易であり、また、既存のカーテンレールに対して取付が可能であり、それが容易であり、さらに開閉操作を容易に行えるようにすることができる両開きカーテン用補助具を提供することを目的とする。
【００１２】
【課題を解決するための手段】
本発明は上記の目的を達成するために、カーテンレールの両端に取り付ける２つの終端部材と、輪にして前記２つの終端部材に掛けるワイヤー部材と、前記２つの終端部材に掛けたワイヤー部材の輪の上方部分と前記カーテンレールの２つの中央ランナーのうちの一方とを固定する第１のワイヤー固定部材と、前記２つの終端部材に掛けたワイヤー部材の輪の下方部分と前記カーテンレールの２つの中央ランナーのうちの他方とを固定する第２のワイヤー固定部材とを備えたことを特徴とする。
【００１３】
また本発明は請求項１に記載の発明において、前記終端部材がレール固定ネジによって前記カーテンレールに取り付けられることを特徴とする。
【００１４】
また本発明は請求項１に記載の発明において、前記ワイヤー部材が予め輪に形成されていることを特徴とする。
【００１５】
また本発明は請求項３に記載の発明において、前記ワイヤー部材の輪の大きさが調節可能であることを特徴とする。
【００１６】
また本発明は、カーテンレールにおいて、カーテンを取り付けるための複数のランナーと、カーテンの開閉のため前記ランナーが移動するレール本体と、前記レール本体の両端に取り付けられた２つの終端部材と、輪にして前記２つの終端部材に掛けられたワイヤー部材と、前記２つの終端部材に掛けられた前記ワイヤー部材の輪の上方部分と前記ランナーのうちの２つの中央のものの一方とを固定する第１のワイヤー固定部材と、前記２つの終端部材に掛けたワイヤー部材の輪の下方部分と前記ランナーのうちの２つの中央のものの他方とを固定する第２のワイヤー固定部材とを備えたことを特徴とする。
【００１７】
【発明の実施の形態】
以下、本発明の実施の形態を図面を参照して説明する。
【００１８】
図１は、本発明による両開きカーテン用補助具の一実施の形態の構成を示す斜視図であり、（ａ）は両開きカーテン用補助具の１つであるワイヤー部材を示す図であり、（ｂ）は両開きカーテン用補助具の１つである終端部材を示す図であり、（ｃ）は両開きカーテン用補助具の１つであるワイヤー固定部材を示す図である。
【００１９】
図１（ａ）に示すように、ワイヤー部材４は、ワイヤー１とワイヤー止め２と、ストッパー３とを有し、これらを組立てて構成される。なお、ワイヤー１は金属製のものでも他の素材であってもよい。
【００２０】
ワイヤー止め２は管状の部材であり、ワイヤー１の一方の端部である端部１ａを通した上でその部分をペンチ等で押しつぶしてワイヤー止め２から端部１ａが抜けないように予め形成してある。この状態でもワイヤー止め２には隙間が残っており、この隙間にはワイヤー１の他方の端部である端部１ｂが図１（ａ）に示すように通され、この部分においてワイヤー１がワイヤー止め２内をスムーズに動き、ワイヤー１が形成する輪の大きさが容易に調整できるようにしてある。
【００２１】
また、ワイヤー１の端部１ｂの先端にはストッパ３が固着されており、ワイヤー止め２からワイヤー１が抜けてしまうのを防ぐ役割を果たしている。すなわち、図１（ａ）に示す状態では、管状部材であるワイヤー止め２の穴がストッパ３よりも小さい状態にしてある。ストッパ３は管状部材をペンチ等で押しつぶして固着するものでもよいし、別部材を設けずにワイヤー１の端部１ｂの先端に結び目を作り、これをストッパ３としてもよい。
【００２２】
本実施の形態の両開きカーテン用補助具は、取り付け対象のカーテンレールの幅に応じてワイヤー１の長さを予め決めておき、両開きカーテン用補助具をカーテンレールに取り付けたときに、ワイヤー止め２とストッパ３との間のワイヤー１の長さがあまり長く余らないようにするのがよい。
【００２３】
なお、上述の例ではワイヤー止め２のうち端部１ａを通した部分を押しつぶしてワイヤー止め２から端部１ａが抜けないように予め形成するようにしたが、本発明はこれに限られるものでなく、たとえば、ワイヤー止め２と端部１ａとは固着せずに、端部１ａの先端にもストッパ３と同様なストッパを設けておき、ワイヤー止め２から端部１ａが抜けてしまうのを防ぐ構成としてもかまわない。
【００２４】
図１（ｂ）では、カーテンレールの一方の端部に取り付ける部材である終端部材１０ａおよびカーテンレールの他方の端部に取り付ける部材である終端部材１０ｂを示している。
【００２５】
図１（ｂ）に示すように、終端部材１０ａは、レール固定具５ａと、レール固定ネジ６ａと、コース部材７ａと、押え板８ａと、コース固定ネジ９ａとを有して構成される。
【００２６】
レール固定具５ａは、板状の部材をカーテンレールの形状に合わせて湾曲させて形成され、その中央面部および側面部にネジ穴を設けてある。中央面部のネジ穴にはコース部材７ａおよび押え板８ａを間に挟んでコース固定ネジ９ａがねじ込まれ、これによってレール固定具５ａにコース部材７ａを固定する。側面部のネジ穴にはレール固定ネジ６ａがねじ込まれ、これによって、後述するように、終端部材１０ａがカーテンレールに固定される。
【００２７】
コース部材７ａには溝２１ａが形成されており、後述するように、この溝２１ａにワイヤー１が沿う。
【００２８】
なお、終端部材１０ｂも同様の構成であるため、終端部材１０ｂの詳しい説明は省略する。
【００２９】
図１（ｃ）では、後述するように、ワイヤー１と中央ランナーとを固定するワイヤー固定部材１５ａおよび１５ｂを示している。
【００３０】
図１（ｃ）に示すように、ワイヤー固定部材１５ａは、ネジ１１ａと、ワッシャー１２ａおよび１３ａと、ナット１４ａとを有して構成される。
【００３１】
なお、ワイヤー固定部材１５ｂも同様の構成であるため、ワイヤー固定部材１５ｂの詳しい説明は省略する。
【００３２】
次に、本実施の形態の両開きカーテン用補助具のカーテンレールへの取り付けの仕方を図面を参照して説明する。
【００３３】
図２は、図１（ａ）〜図１（ｃ）に示した両開きカーテン用補助具を取り付けるカーテンレールの側面図である。
【００３４】
本実施の形態の両開きカーテン用補助具が取り付けられるカーテンレール２０は、レール本体１６と、レール本体１６の両端に固定して設けられ、カーテンの幅方向の一端が取り付けられるランナーストッパー１７ａおよび１７ｂと、レール本体１６を左右に移動可能に設けられ、カーテンが取り付けられる複数のランナー１８ａおよび１８ｂと、やはりレール本体１６を左右に移動可能に設けられ、カーテンの幅方向の一端が取り付けられる中央ランナー１９ａおよび１９ｂとを有して構成される。
【００３５】
なお、中央ランナー１９ａのうち中央ランナー１９ｂに接する面、および中央ランナー１９ｂのうち中央ランナー１９ａに接する面には、それぞれマグネットが設けられ、このマグネットによって中央ランナー１９ａと中央ランナー１９ｂとの接触が確実に保たれるようにしてもよいし、中央ランナー１９ａや中央ランナー１９ｂにマグネットがないものであってもよい。
【００３６】
また、中央ランナー１９ａおよび中央ランナー１９ｂには、ネジ１１ａやネジ１１ｂが通る程度の大きさの穴が予め開いているものとする。
【００３７】
なお、図２では、中央ランナー１９ａおよび１９ｂと、他のランナー１８ａおよび１８ｂとが異なった形状をしているが、本発明はこれに限られるものではなく、中央ランナーと他のランナーとが同じ形状でもかまわず、中央ランナーにワイヤーを固定することができればよい。
【００３８】
また、本発明はランナーの形状も様々なものに対して適用することができ、たとえば、棒状のレールにリング状のランナーを通して、このランナーがレールを移動可能なように構成したカーテンレールに対しても適用することができる。この場合にはリング状のランナーのうちの中央の２つを中央ランナーとし、この中央ランナーに対してたとえば釘状の部材によってワイヤーを固定することによって本発明を実現することができる。
【００３９】
図３は、図２に破線で囲んで示した範囲Ａを示す図であって、カーテンレール２０に終端部材１０ａを取り付けた状態を示す図である。
【００４０】
カーテンレール２０に終端部材１０ａを取り付ける際には、レール本体１６のうちランナー１８ａの外側にレール固定具５ａをはめ込み、レール固定ネジ６ａをねじ込むことによってレール固定具５ａとレール固定ネジ６ａとでレール本体１６を挟んで固定する。
【００４１】
また、レール本体１６の別の端部には同様に終端部材１０ｂを取り付ける。なお、このとき、最終的にワイヤー１の張り具合を調整するために、終端部材１０ａおよび終端部材１０ｂのどちらかはゆるめに仮固定しておくことが望ましい。
【００４２】
図４は、本実施の形態の両開きカーテン用補助具をカーテンレール２０に取り付ける工程を示す図であって、図３に示した状態に続く状態を示す、カーテンレール２０を下から見た底面図である。
【００４３】
図３に示すようにカーテンレール２０に終端部材１０ａおよび終端部材１０ｂを取り付けたならば、図１（ａ）に示したワイヤー部材４の取り付けを行う。
【００４４】
まず、輪になったワイヤー部材４を、コース部材７ａの溝２１ａとコース部材７ｂの溝２１ｂとに掛ける。
【００４５】
続いて、ワイヤー１の端部１ｂにおけるワイヤー止め２の位置を調節して、ワイヤー部材４が形成する輪の大きさが、ワイヤー部材４がコース部材７ａの溝２１ａおよびコース部材７ｂの溝２１ｂから外れてしまわない程度の大きさになるようにし、その状態で、ワイヤー止め２のうちワイヤー１の端部１ｂが挿入されている部分をペンチ等で押しつぶしてワイヤー止め２によって端部１ｂが動かないようにし、ワイヤー部材４が形成する輪の大きさが変わらないようにする。
【００４６】
このとき、前述のようにワイヤー１の端部１ａの先端にもストッパを設け、ワイヤー止め２内を端部１ａおよび端部１ｂの両者が動く状態の場合には、ワイヤー止め２のうちワイヤー１の端部１ａおよび端部１ｂが挿入されている部分をペンチ等で押しつぶしてワイヤー止め２によって端部１ａおよび端部１ｂが動かないようにし、ワイヤー部材４が形成する輪の大きさが変わらないようにする。
【００４７】
さらに、前述のように終端部材１０ａおよび終端部材１０ｂのどちらかをレール本体１６にゆるめに仮固定してある場合には、このようにワイヤー部材４が形成する輪の大きさを決定した後に、ワイヤー１の張り具合が緩みないようにして終端部材１０ａおよび終端部材１０ｂのうち仮固定してあるものをレール固定ネジ６ａおよびレール固定ネジ６ｂによってしっかりと固定する。このとき、ワイヤー１が終端部材１０ａの溝２１ａおよび終端部材１０ｂの溝２１ｂから外れないように張る必要がある。
【００４８】
図５は、本実施の形態の両開きカーテン用補助具をカーテンレール２０に取り付ける工程を示す図であって、図４に示した状態に続く状態を示す、カーテンレール２０を下から見た底面図である。
【００４９】
図４に示すようにカーテンレール２０にワイヤー部材４を取り付けたならば、図１（ｃ）に示したワイヤー固定部材１５ａおよびワイヤー固定部材１５ｂによってワイヤー１の固定を行う。
【００５０】
まず、中央ランナー１９ａの穴にワッシャー１２ａを介してネジ１１ａを通し、反対側からワッシャー１３ａを介してナット１４ａを取り付け、ランナー１８ａおよび中央ランナー１９ａを終端部材１０ａ側に完全に寄せ、その状態で、図５に示すように、ワイヤー止め２が中央ランナー１９ａのすぐ左に来るようにワイヤー１を動かし、その後、図５において上側のワイヤー１のうちワイヤー止め２の右の部分（２つの終端部材に掛けたワイヤー部材の輪の上方部分）をワッシャー１２ａと中央ランナー１９ａとの間に挟み、ネジ１１ａとナット１４ａとを締めて、ワイヤー１と中央ランナー１９ａとを固定する。
【００５１】
その後、中央ランナー１９ｂの穴にワッシャー１２ｂを介してネジ１１ｂを通し、反対側からワッシャー１３ｂを介してナット１４ｂを取り付け、ランナー１８ｂおよび中央ランナー１９ｂを終端部材１０ｂ側に完全に寄せ、その状態で、図５において下側のワイヤー１（２つの終端部材に掛けたワイヤー部材の輪の下方部分）をワッシャー１２ｂと中央ランナー１９ｂとの間に挟み、ネジ１１ｂとナット１４ｂとを締めて、ワイヤー１と中央ランナー１９ｂとを固定する。
【００５２】
すなわち、２つの終端部材に掛けたワイヤー部材の輪の上方部分とカーテンレールの２つの中央ランナーのうちの一方とを固定し、２つの終端部材に掛けたワイヤー部材の輪の下方部分とカーテンレールの２つの中央ランナーのうちの他方とを固定する。
【００５３】
以上で本実施の形態の両開きカーテン用補助具の取り付けは完了である。
【００５４】
以上のように構成することによって、中央ランナー１９ａまたは中央ランナー１９ｂのどちらかをカーテンレールに沿って移動させれば、他方もそれにつれて移動し、両開きのカーテンの片側のカーテンの開閉操作をするだけで、もう片側のカーテンも開閉し、カーテンの全開、全閉操作が容易にできるという効果がある。
【００５５】
また、本実施の形態によれば、両開きカーテン用補助具をカーテンに簡単に取り付けることができるという効果がある。
【００５６】
また、ワイヤー止め２が中央ランナー１９ａのすぐ左に来るようにしてワイヤー１を中央ランナー１９ａに固定したので、カーテンの開閉操作の際にワイヤー止め２がコース部材７ａやコース部材７ｂを通過することがなく、スムーズな動きを実現することができる。
【００５７】
なお、ワイヤー１と中央ランナー１９ａおよび１９ｂとを固定する際のワイヤー止め２の位置は、上述のように中央ランナー１９ａのすぐ左になければいけないものではなく、図５に示すワッシャー１２ａとコース部材７ａとの間の部分またはワッシャー１２ｂとコース部材７ｂとの間の部分であればどこにあってもよい。
【００５８】
図６は、本発明による両開きカーテン用補助具の１つである終端部材の別の実施の形態を示す図であり、（ａ）はこの実施の形態の終端部材の斜視図であり、（ｂ）は（ａ）に示す終端部材の側面図を示す図である。
【００５９】
図６（ａ）および図６（ｂ）の終端部材３０では、図１（ｂ）で示した終端部材１０ａのコース部材７ａの代わりに、溝３９を有するとともにスムーズに回転可能なプーリ３７を用いている。
【００６０】
すなわち、終端部材３０は、レール固定具３５と、レール固定ネジ３６と、プーリ３７と、プーリ固定ネジ３８とを有して構成される。
【００６１】
レール固定具３５は、板状の部材をカーテンレールの形状に合わせて湾曲させて形成され、その中央面部および側面部にネジ穴を設けてある。中央面部のネジ穴にはプーリ３７を間に挟んでプーリ固定ネジ３８がねじ込まれ、これによってレール固定具３５にプーリ３７を固定する。側面部のネジ穴にはレール固定ネジ３６がねじ込まれ、これによって、終端部材３０がカーテンレールに固定される。
【００６２】
本実施の形態では、プーリ３７には溝３９が形成されており、この溝３９にワイヤー１がはまり、プーリ３７が回転することによってワイヤー１が移動するものである。
【００６３】
図７は、本発明による両開きカーテン用補助具の１つである終端部材のさらに別の実施の形態を示す図であり、（ａ）はこの実施の形態の終端部材の斜視図であり、（ｂ）は（ａ）に示す終端部材の側面図を示す図である。
【００６４】
図７（ａ）および図７（ｂ）の終端部材４０では、図６（ａ）および図６（ｂ）で示した終端部材３０のレール固定具３５の代わりに、レール固定具４１を用いている。
【００６５】
すなわち、終端部材４０は、レール固定具４１と、レール固定ネジ３６と、プーリ３７と、プーリ固定ネジ３８とを有して構成される。
【００６６】
レール固定具４１は、板状の部材をカーテンレールの形状に合わせて曲げて形成され、その中央面部および側面部にネジ穴を設けてある。中央面部のネジ穴にはプーリ３７を間に挟んでプーリ固定ネジ３８がねじ込まれ、これによってレール固定具４１にプーリ３７を固定する。側面部のネジ穴にはレール固定ネジ３６がねじ込まれ、これによって、終端部材４０がカーテンレールに固定される。
【００６７】
この終端部材４０は、カーテンレールの形状が角張っているときに特に有効である。このように、レール固定具の形状は、カーテンレールの形状に合わせて、様々な形状にすることができる。
【００６８】
図８は、本発明による両開きカーテン用補助具の１つである終端部材のさらに別の実施の形態を示す斜視図である。
【００６９】
図８の終端部材４５では、図６（ａ）および図６（ｂ）で示した終端部材３０のレール固定具３５およびレール固定ネジ３６の代わりに、フック４６を用いている。
【００７０】
すなわち、終端部材４５は、フック４６と、プーリ３７と、プーリ固定ネジ３８とを有して構成される。
【００７１】
フック４６は、図２に示したランナーストッパー１７ａやランナーストッパー１７ｂに設けられた穴に掛けることができるように構成され、これによって終端部材４５がカーテンレールに固定される。
【００７２】
ただし、この場合には、フック４６が邪魔になり、輪になっているワイヤー１をプーリ３７の溝３９に掛けることができないので、取り付ける際にプーリ固定ネジ３８をユーザが外して一旦フック４６からプーリ３７を取り外し、ワイヤー１をプーリ３７の溝３９に掛けた上でプーリ固定ネジ３８でフック４６とプーリ３７とを組み合わせるようにしてもよいし、製品として出荷する際に、既に、ワイヤー１をプーリ３７の溝３９に掛けた上でプーリ固定ネジ３８でフック４６とプーリ３７とを組み合わせた状態にしておいてもよい。
【００７３】
図９は、本発明による両開きカーテン用補助具の１つである終端部材のさらに別の実施の形態を示す側面図である。
【００７４】
図９の終端部材５０では、図６（ａ）および図６（ｂ）で示した終端部材３０のレール固定具３５およびレール固定ネジ３６を用いずに、プーリ固定ネジ５３によって終端部材５０をカーテンレールに固定するようにしている。
【００７５】
すなわち、終端部材５０は、溝５２を有するプーリ５１と、プーリ固定ネジ５３と、スペーサ５４とを有して構成される。
【００７６】
スペーサ５４はたとえば５ｍｍ程度の高さであり、このスペーサ５４を介して、プーリ固定ネジ５３によってプーリ５１がレール本体６０に固定される。この実施の形態は、レール本体６０が木製の場合などに有効である。
【００７７】
なお、上述の各実施の形態では、カーテンレールの外側のランナーストッパ１７ａおよび１７ｂの内側に終端部材１０ａおよび１０ｂを取り付けるようにしたが、本発明はこれに限られるものではなく、ランナーストッパにプーリやコース部材等を直接に取り付けるなどして、ランナーストッパが終端部材を兼ねるような構成にしてもよい。
【００７８】
また、本発明は、両開きカーテン用補助具に限られるものではなく、カーテンレールに両開きカーテン用補助具を取り付けて成る補助具一体型のカーテンレールをも包含することはいうまでもない。すなわち、本発明は、カーテンを取り付けるための複数のランナーと、カーテンの開閉のため前記ランナーが移動するレール本体と、前記レール本体の両端に取り付けられた２つの終端部材と、輪にして前記２つの終端部材に掛けられたワイヤー部材と、前記２つの終端部材に掛けられた前記ワイヤー部材の輪の上方部分と前記ランナーのうちの２つの中央のものの一方とを固定する第１のワイヤー固定部材と、前記２つの終端部材に掛けたワイヤー部材の輪の下方部分と前記ランナーのうちの２つの中央のものの他方とを固定する第２のワイヤー固定部材とを備えたカーテンレールにも適用される。
【００７９】
また、図６から図９では終端部材にプーリを用いた例を示しているが、本発明はこれに限られるものではなく、図６から図９の終端部材にもプーリの代わりにコース部材を用いることができる。
【００８０】
【発明の効果】
以上説明したように、本発明によれば、両開きのカーテンの開閉操作を容易に行えるようにすることができる両開きカーテン用補助具を提供することができる。
【００８１】
すなわち本発明によれば、カーテンレールに両開きカーテン用補助具を取り付けることによって、両開きのうちの左右どちらか側のカーテンを開閉するだけで他方も開閉することができ、操作の煩わしさを解消することができる。
【００８２】
また、両開きのうちの左右どちらか側が狭い場所で操作しづらい場合などでも、広い場所にある側を操作するだけで他方も開閉することができる。
【００８３】
また、本発明による両開きカーテン用補助具をカーテンレールに取り付けた後に、両開きの左右の連動を止めたいときには、ワイヤーと中央ランナーとの固定を解除するようにネジを緩めるだけでよいので、操作方法の選択を容易に行なうことができる。
【００８４】
また、本発明による両開きカーテン用補助具は、既存のカーテンレールに容易に取り付けることができるという効果がある。すなわち、本発明では、ユーザは両開きカーテン用補助具のみを購入すればよく、既存のカーテンレールを無駄にすることがなく、資源保護にもなる。
【００８５】
また、本発明による両開きカーテン用補助具は、上述のように取り付けが非常に簡単で、また、取り付け完了と同時に機能を発揮することができる。
【００８６】
また、本発明による両開きカーテン用補助具は、電動カーテンレールと比べて構造が非常に簡単であり、廉価で提供することができる。
【００８７】
また、本発明による両開きカーテン用補助具は、電動カーテンレールと比べて構造が非常に簡単であり、故障がほとんどなく、メンテナンスの必要性もない。
【００８８】
また、本発明による両開きカーテン用補助具は、電動カーテンレールと比べて構造が非常に簡単であり、日曜大工程度の作業で取り付けが可能であり、機械操作が苦手な人でも自分で簡単に取りつけることができる。
【００８９】
また、本発明による両開きカーテン用補助具は、電動カーテンレールと比べて、電源を必要とせず、電気工事も不要である。
【図面の簡単な説明】
【図１】本発明による両開きカーテン用補助具の一実施の形態の構成を示す斜視図であり、（ａ）は両開きカーテン用補助具の１つであるワイヤー部材を示す図であり、（ｂ）は両開きカーテン用補助具の１つである終端部材を示す図であり、（ｃ）は両開きカーテン用補助具の１つであるワイヤー固定部材を示す図である。
【図２】図１（ａ）〜図１（ｃ）に示した両開きカーテン用補助具を取り付けるカーテンレールの側面図である。
【図３】図２に破線で囲んで示した範囲Ａを示す図であって、カーテンレール２０に終端部材１０ａを取り付けた状態を示す図である。
【図４】本実施の形態の両開きカーテン用補助具をカーテンレール２０に取り付ける工程を示す図であって、図３に示した状態に続く状態を示す、カーテンレール２０を下から見た底面図である。
【図５】本実施の形態の両開きカーテン用補助具をカーテンレール２０に取り付ける工程を示す図であって、図４に示した状態に続く状態を示す、カーテンレール２０を下から見た底面図である。
【図６】本発明による両開きカーテン用補助具の１つである終端部材の別の実施の形態を示す図であり、（ａ）はこの実施の形態の終端部材の斜視図であり、（ｂ）は（ａ）に示す終端部材の側面図を示す図である。
【図７】本発明による両開きカーテン用補助具の１つである終端部材のさらに別の実施の形態を示す図であり、（ａ）はこの実施の形態の終端部材の斜視図であり、（ｂ）は（ａ）に示す終端部材の側面図を示す図である。
【図８】本発明による両開きカーテン用補助具の１つである終端部材のさらに別の実施の形態を示す斜視図である。
【図９】本発明による両開きカーテン用補助具の１つである終端部材のさらに別の実施の形態を示す側面図である。
【符号の説明】
１  ワイヤー
２  ワイヤー止め
３  ストッパー
４  ワイヤー部材
５ａ、５ｂ  レール固定具
６ａ、６ｂ  レール固定ネジ
７ａ、７ｂ  コース部材
８ａ、８ｂ  押え板
９ａ、９ｂ  コース固定ネジ
１０ａ、１０ｂ  終端部材
１１ａ、１１ｂ  ネジ
１２ａ、１２ｂ  ワッシャー
１３ａ、１３ｂ  ワッシャー
１４ａ、１４ｂ  ナット
１５ａ、１５ｂ  ワイヤー固定部材
１６  レール本体
１７ａ、１７ｂ  ランナーストッパー
１８ａ、１８ｂ  ランナー
１９ａ、１９ｂ  中央ランナー
２０  カーテンレール
【図１】
2004337208.tif 000003
【図２】
2004337208.tif 000004
【図３】
2004337208.tif 000005
【図４】
2004337208.tif 000006
【図５】
2004337208.tif 000007
【図６】
2004337208.tif 000008
【図７】
2004337208.tif 000009
【図８】
2004337208.tif 000010
【図９】
2004337208.tif 000011